(57)【要約】【課題】屋根等の構造物にソーラーパネルを固定する際に、サイズや形状の異なる種々のソーラーパネルに適用できるソーラーパネル用取付架台を提供すること。【解決手段】本発明のソーラーパネル用取付架台１０は、屋根Ｒに据え付けられるレール１１と、レール１１に沿って移動可能に設けられるとともに、ソーラーパネルＳを複数位置で固定するパネル固定具１２，１３とを備えている。パネル固定具１２，１３は、ソーラーパネルＳの端部側の上下両面を挟み込んで保持するカバー２２，５０及びパネル押さえ部材２３，５１と、これらに連なってレール１１に係り合うカバー固定部材２５，５３とを備えている。カバー２２，５０及びパネル押さえ部材２３，５１は、それらの離間幅を変化させる方向に相対移動可能であり、カバー固定部材２５，５３は、パネル固定具１２，１３をレール１１に対して移動不能にする位置と、当該移動可能にする位置との間で変位する。【選択図】          図２
2012012778.tif 000002
【特許請求の範囲】
【請求項１】
所定の構造物にソーラーパネルを取り付けるためのソーラーパネル用取付架台において、
前記構造物に据え付けられるレールと、当該レールに沿って移動可能に設けられるとともに、前記ソーラーパネルを複数位置で固定する複数のパネル固定具とを備え、
前記パネル固定具は、前記ソーラーパネルの端部側の上下両面を挟み込んで保持する一対の挟持部と、前記挟持部に連なるとともに、前記レールに係り合う係合部とを備え、
前記一対の挟持部は、それらの離間幅を変化させる方向に相対移動可能に設けられ、
前記係合部は、前記パネル固定具を前記レールに対して移動不能に固定する位置と、前記パネル固定具を前記レールに沿って移動可能にする位置との間で変位可能に設けられていることを特徴とするソーラーパネル用取付架台。
【請求項２】
前記係合部は、前記パネル固定具を前記レールに対して着脱不能にする位置と、前記パネル固定具を前記レールに対して着脱可能にする位置との間で変位可能に設けられていることを特徴とする請求項１記載のソーラーパネル用取付架台。
【請求項３】
前記レールは、前記構造物への取り付け部分となる取付部を備え、当該取付部は、前記レールの複数箇所に形成され、前記構造物に対する前記レールの取り付け位置を選択可能に設けられていることを特徴とする請求項１又は２記載のソーラーパネル用取付架台。
【発明の詳細な説明】
【技術分野】
【０００１】
本発明はソーラーパネル用取付架台に係り、更に詳しくは、様々なサイズや形状のソーラーパネルに適用可能な汎用性を備えたソーラーパネル用取付架台に関する。
【背景技術】
【０００２】
特許文献１には、建物の屋根にソーラーパネルを取り付ける際に用いられる架台として、屋根の棟部を跨ぐように配置されたフレーム上にソーラーパネルを固定するものが開示されている。この架台は、屋根の左右方向に所定の間隔で配置される複数本の架台チャネルと、各架台チャネルの間に連結されて長さが可変となる架台接合金具とを備えており、ソーラーパネルは、各架台チャネル上に載置された上で、取付固定具によって架台チャネルに固定される。すなわち、前記取付固定具は、ソーラーパネルの端面に形成されたフックに引っ掛け可能な形状となっており、当該フックを結合させた取付固定具が架台チャネルに固定される。
【先行技術文献】
【特許文献】
【０００３】
【特許文献１】特開２００４−１２４６６５号公報
【発明の概要】
【発明が解決しようとする課題】
【０００４】
しかしながら、前記特許文献１の架台にあっては、端面にフックを有するソーラーパネルしか適用することができず、また、フックの形状に合わせて形状の異なる取付固定具を用いる必要があり、１種類の架台で適用可能となるソーラーパネルの種類が限定されるという不都合がある。
【０００５】
また、各架台チャネルの組み立て時に、それらの間隔を架台接合金具の長さ調整によって自由に設定できるが、架台を屋根に据え付けた後でソーラーパネルを設置する際に、各架台チャネルの間隔がソーラーパネルの幅寸法に合わないような場合には、全ての架台チャンネルを再度組み直さなければならない。従って、前記架台では、ソーラーパネルを架台に設置する際に、架台チャネルの幅寸法を微調整することができないことから、屋根に対する架台の位置決めを慎重且つ正確に行わなければならず、ソーラーパネルの設置工事を迅速に行うことができないという不都合がある。
【０００６】
更に、何年か使用したソーラーパネルをサイズや形状の異なる別製品に交換する際には、交換前までに使用していた架台を再度使用することができなくなる場合が多く、新たな架台を設置しなければならないという不都合もある。
【０００７】
その他、現在市場に流通している架台は、各メーカで異なるソーラーパネルのサイズや形状に合わせて設計されており、別製品に対応できない他、長さ等の仕様が実際の状況に合わないと、現場でフレキシブルに対応困難であるという不都合がある。
【０００８】
本発明は、以上のような不都合に着目して案出されたものであり、その目的は、屋根等の構造物にソーラーパネルを固定する際に、サイズや形状の異なる種々のソーラーパネルに適用できるソーラーパネル用取付架台を提供することにある。
【課題を解決するための手段】
【０００９】
（１）前記目的を達成するため、本発明は、所定の構造物にソーラーパネルを取り付けるためのソーラーパネル用取付架台において、
前記構造物に据え付けられるレールと、当該レールに沿って移動可能に設けられるとともに、前記ソーラーパネルを複数位置で固定する複数のパネル固定具とを備え、
前記パネル固定具は、前記ソーラーパネルの端部側の上下両面を挟み込んで保持する一対の挟持部と、前記挟持部に連なるとともに、前記レールに係り合う係合部とを備え、
前記一対の挟持部は、それらの離間幅を変化させる方向に相対移動可能に設けられ、
前記係合部は、前記パネル固定具を前記レールに対して移動不能に固定する位置と、前記パネル固定具を前記レールに沿って移動可能にする位置との間で変位可能に設けられる、という構成を採っている。
【００１０】
（２）また、前記係合部は、前記パネル固定具を前記レールに対して着脱不能にする位置と、前記パネル固定具を前記レールに対して着脱可能にする位置との間で変位可能に設けられる、という構成を採ることが好ましい。
【００１１】
（３）更に、前記レールは、前記構造物への取り付け部分となる取付部を備え、当該取付部は、前記レールの複数箇所に形成され、前記構造物に対する前記レールの取り付け位置を選択可能に設けられる、という構成を採ることが好ましい。
【発明の効果】
【００１２】
本発明によれば、ソーラーパネルの上下両面を一対の挟持部で挟み込んでソーラーパネルを固定する構造になっているため、ソーラーパネルの端面の形状に拘らず、種々のソーラーパネルの構造物への取り付けが可能となる。また、一対の挟持部の離間幅を変化させることができるため、当該離間幅をソーラーパネルの厚みに応じて調整することで、種々の厚みのソーラーパネルに適用可能となる。更に、パネル固定具がレールに沿って移動可能になっているため、ソーラーパネルの幅に応じて、レール上の各パネル固定具の離間距離を調整することができ、幅寸法の異なる種々のソーラーパネルへの適用も可能になる。以上により、本発明のソーラーパネル用取付架台は、サイズや形状の異なる種々のソーラーパネルへの適用が可能になる他、レールを構造物に据え付けた後で、パネル固定具の位置の微調整も可能で、工事現場でのフレキシブルな対応が可能になる。
【００１３】
特に、前記（２）のように構成することで、レールに対するパネル固定具の取り付けや取り外しを難なく行うことができるため、レールに取り付けられるパネル固定具を現場で増設したり、若しくは、減らしたりすることができ、様々なサイズや形状のソーラーパネルに適用可能な汎用性を一層高めることができる。また、レールを構造物に取り付けた後でも、レールに対するパネル固定具の着脱が可能になり、レールを構造物から取り外すことなく、パネル固定具を交換することができる。
【００１４】
更に、前記（３）のように構成することにより、構造物に対するソーラーパネル用取付架台の据え付け位置が拘束される場合であっても、最適となる位置の取付部を選択することで、ソーラーパネル用取付架台を構造物上の所望の位置に据え付けることが可能になる。
【図面の簡単な説明】
【００１５】
【図１】本実施形態に係るソーラーパネル用取付架台が取り付けられた状態を表す屋根の概略平面図。
【図２】前記ソーラーパネル用取付架台の概略正面図。
【図３】レールの概略斜視図。
【図４】前記レールの一部分の概略平面図。
【図５】第１のパネル固定具の概略分解斜視図。
【図６】図２のＡ−Ａ線に沿う方向の概略断面図。
【図７】第２のパネル固定具の概略分解斜視図。
【図８】図２のＢ−Ｂ線に沿う方向の概略断面図。
【発明を実施するための形態】
【００１６】
以下、本発明の実施形態について図面を参照しながら説明する。
【００１７】
図１には、本実施形態に係るソーラーパネル用取付架台が取り付けられた状態を表す屋根の概略平面図が示され、図２には、前記ソーラーパネル用取付架台の概略正面図が示されている。これらの図において、前記ソーラーパネル用取付架台１０は、長尺状に設けられており、複数本用いてソーラーパネルＳを屋根Ｒ（構造物）に固定するようになっている。特に限定されるものではないが、本実施形態では、ソーラーパネル用取付架台１０が、屋根Ｒの棟側から軒側に向かう図１中上下方向に延びる向きで設置されるとともに、ソーラーパネルＳの同図中左右幅に合わせたピッチで屋根Ｒの上の複数箇所（４箇所）に設置される。ここで、ソーラーパネル用取付架台１０の屋根Ｒへの固定は、図２に示されるように、屋根Ｒの垂木部分（図示省略）にそれぞれビス止めされた複数のプレートＰからそれぞれ上方に延びる各ボルトＢへの取り付けによって行われる。
【００１８】
前記ソーラーパネル用架台１０は、屋根Ｒに据え付けられる長尺状のレール１１と、このレール１１上の複数箇所に取り付けられてソーラーパネルＳを固定するパネル固定具１２，１３とを備えて構成されている。なお、以下、レール１１の説明においては、その延出方向（図２中左右方向）を「長さ方向」と称し、当該延出方向に直交する方向（同図中紙面直交方向）を「幅方向」と称する。また、各パネル固定具１２，１３の説明においては、各パネル固定具１２，１３がレール１１に取り付けられた状態で、レール１１の延出方向に沿う方向（図２中左右方向）を「長さ方向」と称し、レール１１を跨ぐ方向（同図中紙面直交方向）を「幅方向」と称する。
【００１９】
前記レール１１は、図３に示されるように、延出方向の両端側が開放する断面ほぼコ字状に設けられており、開口部分１４が上側に位置する向きで屋根Ｒに固定される。具体的に、レール１１は、屋根Ｒに対向する下面部１５と、下面部１５の幅方向の両端側から起立する一対の側面部１６，１６と、各側面部１６，１６から幅方向内側に向かってそれぞれ屈曲する上面部１８，１８とからなる。
【００２０】
図４に示されるように、前記下面部１５には、長さ方向に沿って延びる直線状長穴２０が、直線状に並ぶように３箇所以上で形成されている。直線状長穴２０は、前記ボルトＢ（図２参照）が貫通可能となるサイズに形成されており、直線状長穴２０にボルトＢが挿入された状態で、当該ボルトＢに通されたナットＮで下面部１５を上下両側から挟み込むことにより、レール１１が屋根Ｒに固定される。すなわち、直線状長穴２０は、屋根Ｒへの取り付け部分となる取付部を構成し、後述するように、屋根Ｒに対するレール１１の取り付け位置を選択可能となっている。
【００２１】
前記上面部１８は、下面部１５にほぼ平行となるように配置され、各上面部１８，１８の間に開口部分１４が形成される。
【００２２】
前記パネル固定具１２，１３は、図２に示されるように、同図中中央に位置し、２枚のソーラーパネルＳを同図中左右両側で固定可能な第１のパネル固定具１２と、レール１１の長さ方向両端側に配置され、１枚のソーラーパネルＳの端部を固定可能な第２のパネル固定具１３とからなる。
【００２３】
前記第１のパネル固定具１２は、図５及び図６に示されるように、下側が開放する向きで配置される断面ほぼコ字状のカバー２２と、カバー２２の上方に配置されてソーラーパネルＳの端部を上方から押さえるパネル押さえ部材２３と、カバー２２の下方に配置されてカバー２２をレール１１に固定するカバー固定部材２５と、カバー２２、パネル押さえ部材２３及びカバー固定部材２５にそれぞれ挿通されて、カバー２２とパネル押さえ部材２３の間の距離調整に用いられる２本の高さ調整用ねじ２７，２７と、カバー２２及びカバー固定部材２５にそれぞれ挿通され、カバー２２とカバー固定部材２５の間の距離調整に用いられる１本の固定用ねじ２８と、パネル押さえ部材２３の下面側に連なって、各高さ調整用ねじ２７，２７がそれぞれ挿通される筒状部材３０，３０とを備えている。
【００２４】
前記カバー２２は、図６に示されるように、レール１１の幅方向両端間に跨がって配置されるようになっており、レール１１の幅方向（同図中左右方向）の寸法とほぼ同一の幅方向の寸法を有する平面視ほぼ方形状のベース３３と、ベース３３の幅方向の両端側から垂下し、レール１１の側面部１６，１６に対面する垂下面部３４，３４とからなる。
【００２５】
図５及び図６に示されるように、前記ベース３３には、幅方向ほぼ中央位置で上下に貫通する丸穴状の中央貫通穴３６と、中央貫通穴３６の周囲２箇所位置で上下に貫通する円弧状長穴３８とが設けられている。
【００２６】
前記中央貫通穴３６は、その内径が、固定用ねじ２８の外径よりもほぼ同一若しくは僅かに大きく設定されており、この中央貫通穴３６に固定用ねじ２８が挿通される。
【００２７】
前記円弧状長穴３８，３８は、中央貫通穴３６を中心として相互に点対称となるように、中央貫通穴３６を中心とした同一円に沿って配置されており、この円弧状長穴３８，３８に高さ調整用ねじ２７，２７が挿通される。
【００２８】
前記パネル押さえ部材２３は、平面視ほぼ長方形のパネル押さえプレート２３からなる。このパネル押さえプレート２３には、幅方向ほぼ中央位置で上下に貫通する中央貫通穴４０と、当該中央貫通穴４０の幅方向両隣の位置で上下に貫通するサイド貫通穴４２とが設けられている。
【００２９】
前記中央貫通穴４０は、図示しないドライバー等のねじ回転具を挿通可能なサイズに形成されており、中央貫通穴４０の下方に位置する固定用ねじ２８の頭部をパネル押さえプレート２３の上方から回転させることが可能になる。
【００３０】
前記サイド貫通穴４２は、その内径が、高さ調整用ねじ２７の外径よりもほぼ同一若しくは僅かに大きく設定されており、このサイド貫通穴４２に高さ調整用ねじ２７が挿通される。
【００３１】
前記カバー固定部材２５は、平面視ほぼ長方形の板状をなし、図６に示されるように、第１のパネル固定具１２がレール１１に取り付けられた状態で、長辺がレール１１の幅方向に沿う向きで配置され、上面部１８，１８を下側から跨いだ状態でレール１１の内部空間に収容される。また、カバー固定部材２５の短辺方向の幅は、レール１１の開口部分１４の幅よりも小さく設定されている。このため、後述するように、カバー固定部材２５をカバー２２に対して水平方向に回転させることにより、カバー固定部材２５を開口部分１４からレール１１の外側に取り出すことが可能になる。
【００３２】
また、図５及び図６に示されるように、カバー固定部材２５には、ほぼ中央位置で上下に貫通して固定用ねじ２８が係り合う中央ねじ穴４４と、中央ねじ穴４４の幅方向両隣の位置で上下に貫通して高さ調整用ねじ２７，２７が係り合うサイドねじ穴４６，４６とが設けられている。
【００３３】
前記高さ調整用ねじ２７は、図６に示されるように、パネル押さえ部材２３の上方位置からカバー固定部材２５の下方位置まで到達可能な長さに設けられており、カバー２２、パネル押さえ部材２３及びカバー固定部材２５を一体化するようにそれぞれに係わり合っている。また、高さ調整用ねじ２７は、第１のパネル固定具１２がレール１１に取り付けられた状態でレール１１の開口部分１４を通るようになっている。
【００３４】
前記固定用ねじ２８は、パネル押さえ部材２３の下方位置からカバー固定部材２５の下方位置まで到達可能な長さに設けられており、第１のパネル固定具１２がレール１１に取り付けられた状態で開口部分１４を通るようになっている。
【００３５】
前記第２のパネル固定具１３は、第１のパネル固定具１２に対して、カバー２２及びパネル押さえ部材２３の構成が相違する他は、ほぼ同一の構成となっている。
【００３６】
すなわち、第２のパネル固定具１３は、図７及び図８に示されるように、下側が開放する向きで配置される断面ほぼコ字状のカバー５０と、カバー５０の上方に配置されてソーラーパネルＳの端部を上方から押さえるパネル押さえ部材５１と、カバー５０の下方に配置されてカバー５０をレール１１に固定するカバー固定部材５３と、カバー５０、パネル押さえ部材５１及びカバー固定部材５３にそれぞれ挿通され、カバー５０とパネル押さえ部材５１の間の距離調整に用いられる２本の高さ調整用ねじ５７，５７と、カバー５０及びカバー固定部材５３にそれぞれ挿通され、カバー５０とカバー固定部材５３の間の距離調整に用いられる１本の固定用ねじ５８と、パネル押さえ部材５１の下側に連なって、各高さ調整用ねじ５７，５７がそれぞれ挿通される筒状部材５９，５９とを備えている。
【００３７】
前記カバー５０は、図８に示されるように、レール１１の幅方向両端間に跨がって配置されるようになっており、レール１１の幅方向の寸法とほぼ同一の幅方向の寸法を有する平面視ほぼ方形状のベース６１と、ベース６１の幅方向の両端側から垂下し、レール１１の側面部１６，１６に対面する垂下面部６３，６３とからなる。
【００３８】
前記ベース６１には、幅方向ほぼ中央位置で上下に貫通する丸穴状の中央貫通穴６５と、中央貫通穴６５の幅方向両隣の位置でそれぞれ上下に貫通する丸穴状のサイド貫通穴６６，６６とが設けられている。
【００３９】
前記中央貫通穴６５は、第１のパネル固定具１２のカバー２２に形成された中央貫通穴３６とほぼ同一となっている。
【００４０】
前記サイド貫通穴６６は、その内径が、高さ調整用ねじ５７の外径よりもほぼ同一若しくは僅かに大きく設定されており、このサイド貫通穴６６に高さ調整用ねじ５７が挿通される。
【００４１】
なお、特に限定されるものではないが、ベース６１の長さ方向（図８中紙面直交方向）の幅は、第１のパネル固定具１２のベース３３における同方向の幅よりも短寸に設定されている。
【００４２】
前記パネル押さえ部材５１は、ソーラーパネルＳの端部側の上面を押さえるパネル押さえプレート６８と、パネル押さえプレート６８の長さ方向の一端側（図７中奥行側）から下方に垂下する端部カバー６９とからなる。パネル押さえプレート６８は、第１のパネル固定具１２のパネル押さえプレート２３と同様の構成となっており、中央貫通穴４０及びサイド貫通穴４２と同様の中央貫通穴７２及びサイド貫通穴７３を備えている。
【００４３】
前記カバー固定部材５３は、第１のパネル固定具１２のカバー固定部材２５と同様の構成となっており、中央ねじ穴４４及びサイドねじ穴４６と同様の中央ねじ穴７８及びサイド貫通穴７９を備えている。
【００４４】
前記高さ調整用ねじ５７及び固定用ねじ５８は、第１のパネル固定具１２の高さ調整用ねじ２７及び固定用ねじ２８とほぼ同一の作用を奏するようになっている。
【００４５】
次に、前記ソーラーパネル用取付架台１０による屋根ＲへのソーラーパネルＳの取り付け手順につき説明する。
【００４６】
ソーラーパネル用取付架台１０は、図１に示されるように、ソーラーパネルＳの同図中左右両端側を保持できるように、ソーラーパネルＳの同図中左右幅に応じた屋根Ｒ上の位置に、２本１組として複数組設置される。なお、特に限定されるものではないが、本実施形態では、各ソーラーパネル用取付架台１０が、屋根Ｒの棟側から軒側に延びる方向（図１中上下方向）に沿う向きで、同図中左右方向に２組４本配置される。１組のソーラーパネル用取付架台１０，１０の間には、図１中上下２箇所でソーラーパネルＳが取り付けられるようになっている。
【００４７】
なお、各ソーラーパネル用取付架台１０は、本実施形態と異なる態様で、例えば、図１中左右方向に沿う向きで、同図中上下方向複数箇所に配置することも可能であり、取り付けられるソーラーパネルＳのサイズ及び形状や屋根Ｒの構造等によって、ソーラーパネル用取付架台１０の配置形態が適宜選択される。
【００４８】
以下のソーラーパネルＳの説明において、図１中上下方向に位置するソーラーパネルＳの方向を「縦方向」と称し、同左右方向に位置するソーラーパネルＳの方向を「横方向」と称する。
【００４９】
先ず、屋根Ｒ上の所望の位置に各ソーラーパネル用取付架台１０を取り付ける。この際、ソーラーパネルＳの横方向の寸法に基づいて各ソーラーパネル用取付架台１０の位置決めをし、各ソーラーパネル用取付架台１０を屋根Ｒの上に据え付ける。当該据え付けは、第１及び第２のパネル固定具１２，１３が取り付けられたレール１１を屋根Ｒに固定することによって行われる。ここでは、図２に示されるように、屋根Ｒの垂木部分（図示省略）の上に固定されたプレートＰに立設されたボルトＢを直線状長穴２０に挿通し、前述したように、ナットＮの締め付けにより固定する。ここで、直線状長穴２０は、レール１１の複数箇所に形成されており、適切な位置の直線状長穴２０を選択することにより、前記垂木部分の位置によって決まるプレートＰ上のボルトＢの位置に拘束されることなく、屋根Ｒ上の所望の位置にソーラーパネル用取付架台１０を設置可能となる。
【００５０】
次いで、第１及び第２のパネル固定具１２，１３にソーラーパネルＳを固定する。
【００５１】
最初に、レール１１に対する第１及び第２のパネル固定具１２，１３の位置決めを行う。すなわち、先ず、図６及び図８で示される各パネル固定具１２，１３の固定状態から、固定用ねじ２８，５８を緩めた状態とする。この状態では、レール１１の上面部１８，１８の間を下側から掛け渡されているカバー固定部材２５，５３が、上面部１８に押し付けられていないため、第１及び第２のパネル固定具１２，１３は、レール１１に沿って移動可能となる。従って、固定用ねじ２８，５８を緩めた状態で、第１及び第２のパネル固定具１２，１３をレール１１に沿って移動しながら、ソーラーパネルＳの縦方向の幅に合わせることにより、第１及び第２のパネル固定具１２，１３の位置決めを行う。当該位置決めを行ったら、固定用ねじ２８，５８を締めることにより、カバー固定部材２５，５３を上面部１８に押し付けて第１及び第２のパネル固定具２５，５３の移動を不能に固定する。なお、この際の固定用ねじ２８，５８の回転は、図示しないねじ回転具をパネル押さえプレート２３，６８の中央貫通穴４０，７２を通じて固定用ねじ２８，５８の頭部にアクセスすることで行われる。
【００５２】
そして、レール１１に対して位置決めされた第１及び第２のパネル固定具１２，１３にソーラーパネルＳを固定する。ここでは、図１及び図２に示されるように、各ソーラーパネルＳの四隅の上下両面が第１及び第２のパネル固定具１２，１３に保持されることになる。具体的に、ソーラーパネルＳの縦方向の両端側は、同一のソーラーパネル用取付架台１０に配置された第１及び第２のパネル固定具１２，１３によって保持される。また、ソーラーパネルＳの横方向の両端側は、上下何れか一方が、隣り合うソーラーパネル用取付架台１０，１０に配置された各第１のパネル固定具１２，１２同士で保持され、上下何れか他方が、隣り合うソーラーパネル用取付架台に配置された各第２のパネル固定具１３，１３同士で保持される。ここで、第１のパネル固定具１２は、図２に示されるように、同図中左右両側でソーラーパネルＳを保持する。
【００５３】
第１及び第２のパネル固定具１２，１３におけるソーラーパネルＳの保持は、次のようにして行われる。先ず、高さ調整用ねじ２７，５７（図６、図８参照）を回転しながら、ソーラーパネルＳの厚みに応じてカバー２２，５０とパネル押さえ部材２３，５１との間の距離を調整し、ベース３３，６１とパネル押さえプレート２３，６８との間にソーラーパネルＳの端部を配置する。この際、ベース３３，６１とパネル押さえプレート２３，６８との間にある程度の隙間が確保されるように、それらの間の距離が調整される。その他、第１のパネル固定具１２は、高さ調整用ねじ２７がカバー２２の円弧状長穴３８に挿通されることから、高さ調整ねじ２７が円弧状長穴３８に沿って移動することで、パネル押さえプレート２３が中央部分を中心に揺動可能になる。従って、パネル押さえプレート２３を揺動させながら、パネル押さえプレート２３とベース３３の間にソーラーパネルＳの端部を挿入することができ、当該挿入作業が行い易くなる。そして、高さ調整用ねじ２７，５７を回転しながら、ベース３３，６１とパネル押さえプレート２３，６８の間の離間距離を短くし、それらの間にソーラーパネルＳの端部を固定する。このとき、ソーラーパネルＳの端部における上下両面が、ベース３３，６１とパネル押さえプレート２３，６８によって押さえ付けられ、ソーラーパネルＳが第１及び第２のパネル固定具１２，１３に移動不能に固定される。
【００５４】
以上により、カバー２２，５０及びパネル押さえ部材２３，５１は、ソーラーパネルＳの端部側の上下両面を挟み込んで保持する上下一対の挟持部を構成する。また、カバー固定部材２５，５３は、前記挟持部に連なるとともにレール１１に係り合って、パネル固定具１２，１３をレール１１に対して移動不能に固定する位置と、パネル固定具１２，１３をレール１１に沿って移動可能にする位置との間で変位可能にする係合部を構成する。
【００５５】
従って、このような実施形態によれば、第１及び第２のパネル固定具１２，１３がレール１１に固定される状態と、当該レール１１に沿って移動可能になる状態とにすることができ、当該移動可能な状態で、ソーラーパネルＳの幅に合わせて第１及び第２のパネル固定具１２，１３の離間幅を調整することができる。また、ソーラーパネル用取付架台１０は、ソーラーパネルＳの上下両面を挟み込んで固定する構造になっており、ソーラーパネルＳの厚みに応じて、ソーラーパネルＳを上下両方から挟み込むカバー２２，５０とパネル押さえ部材２３，５１の離間幅を調整することができる。以上により、ソーラーパネル用取付架台１０は、様々なサイズや形状のソーラーパネルＳに適用することができ、１種類で種々のソーラーパネルＳを屋根Ｒに据え付けることが可能になる。
【００５６】
また、第１のパネル固定具１２は、レール１１に対して固定する位置と着脱可能にする位置とを切り換えるロック機構を備えている。つまり、カバー固定部材２５がレール１１の上面部１８に押し付けられているロック状態のときは、第１のパネル固定具１２がレール１１に対して固定される一方、カバー固定部材２５が上面部１８に押し付けられていないフリー状態のときは、第１のパネル固定具１２がレール１１に対して着脱が可能になる。このフリー状態では、高さ調整用ねじ２７がカバー２２の円弧状長穴３８に沿って移動可能になり、当該移動によって、高さ調整用ねじ２７に係り合うカバー固定部材２５は、固定用ねじ２８を中心に回転することになる。また、カバー固定部材２５は、その長辺方向の幅が開口部分１４の幅よりも大きいが、短辺方向の幅が開口部分１４の幅よりも小さい。このため、カバー固定部材２５は、上面部１８，１８の間に跨がって第１のパネル固定具１２をレール１１に対して着脱不能にする図６の位置と、長辺部分がレール１１に沿うように配置されて第１のパネル固定具１２をレール１１に対して着脱自在となる位置との間で回転変位可能になる。この構成により、レール１１を屋根Ｒに固定してからでも、ソーラーパネルＳの幅等の状況に応じ、第１のパネル固定具１２をレール１１上に増設したり取り外したりすることを簡単にでき、様々なソーラーパネルＳに対する取り付けの汎用性を高め、ソーラーパネルＳの据え付け工事を行い易くすることができる。
【００５７】
更に、ソーラーパネル用取付架台１０は、屋根Ｒへの取り付け部分となる取付部となる直線状長穴２０が３箇所以上に設けられており、屋根Ｒに対する取り付け位置を自由に選択することができる。つまり、レール１１を最低２箇所で支持できれば良いから、３箇所以上の直線状長穴２０のうち任意の２箇所を選択し、しかも、１つの直線状長穴２０内で前記取り付け位置を自由に決めることができる。これにより、建物によって異なる位置に存在する前記垂木部分の上に固定されたプレートＰの位置に拘束されずに、ソーラーパネル用取付架台１０の据え付け位置を自由に設定することができる。従って、前記垂木部分のない野地板（図示省略）の部分にビス止め等する必要がなく、ソーラーパネルＳの設置後における天井からの雨漏り等の不具合を防止することができる。なお、前記取付部としては、直線状長穴２０に限定されるものでなく、構造物に対するレール１１の取り付け位置を選択可能な構成のものであれば何でもよい。
【００５８】
また、前記実施形態では、ソーラーパネル用取付架台１０を屋根Ｒの上に取り付ける場合について図示説明したが、本発明はこれに限らず、他の構造物にソーラーパネルＳを取り付ける際に用いることもできる。
【００５９】
その他、本発明における装置各部の構成は図示構成例に限定されるものではなく、実質的に同様の作用を奏する限りにおいて、種々の変更が可能である。
【符号の説明】
【００６０】
１０  ソーラーパネル用取り付け架台
１１  レール
１２  第１のパネル固定具
１２  第２のパネル固定具
２０  直線状長穴（取付部）
２２  カバー（挟持部）
２３  パネル押さえ部材（挟持部）
２５  カバー固定部材（係合部）
５０  カバー（挟持部）
５１  パネル押さえ部材（挟持部）
５３  カバー固定部材（係合部）
Ｓ  ソーラーパネル
【図１】
2012012778.tif 000003
【図２】
2012012778.tif 000004
【図３】
2012012778.tif 000005
【図４】
2012012778.tif 000006
【図５】
2012012778.tif 000007
【図６】
2012012778.tif 000008
【図７】
2012012778.tif 000009
【図８】
2012012778.tif 000010